(57)【要約】【課題】各部位に対する施術動作が、統一的な考え方にもとづいて、全て規則的に構成されており、顧客にとって理解しやすく、施術者にとっても習得しやすい構成となっている美容施術方法およびそれに用いる美容施術情報ツールを提供する。【解決手段】被施術者の全身のうち、少なくとも一つの部位に対し美容施術を行う方法であって、美容施術情報ツールの表１０等に示された施術動作手順にもとづいて、各部位に対し、軽擦動作、強擦動作および揉捏動作の少なくとも一つを主動作とする活性施術と、指圧動作を主動作とする調整施術と、圧迫動作を主動作とする維持施術を、一連の施術としてこの順で行うようにした。【選択図】図３
2005323684.tif 000002
【特許請求の範囲】
【請求項１】
被施術者の全身のうち、少なくとも一つの部位に対し美容施術を行う方法であって、各部位に対し、軽擦動作、強擦動作および揉捏動作の少なくとも一つを主動作とする活性施術と、指圧動作を主動作とする調整施術と、圧迫動作を主動作とする維持施術を、一連の施術としてこの順で行うことを特徴とする美容施術方法。
【請求項２】
美容施術を行う部位が、背中、下肢背面、顔面・胸元、頭部、腹部・胸部、手、下肢前面からなる群から選択される少なくとも一つの部位であり、各部位に対する施術が、下記の（ａ）〜（ｇ）に示すように構成されている請求項１記載の美容施術方法。
（ａ）背中に対する施術であって、背中全体を軽擦し、つぎに肩甲骨周辺を揉捏する活性施術と、脊椎両脇を指圧する調整施術と、背中全体を圧迫する維持施術とで構成されている施術。
（ｂ）下肢背面に対する施術であって、下肢背面全体を軽擦し、つぎに片脚ずつ、脚全体を揉捏する活性施術と、足裏を指圧し、ふくらはぎを圧迫したのち大腿部を軽擦する調整施術と、脚全体を軽擦したのち足裏を圧迫する維持施術とで構成される施術。
（ｃ）顔面・胸元に対する施術であって、額全体を軽擦し、つぎに胸元を軽擦後、僧帽筋を強擦する活性施術と、頬骨の下を指圧し、つぎに肩を指圧する調整施術と、胸元を圧迫し、つぎに鎖骨を挟み圧迫する維持施術とで構成される施術。
（ｄ）頭部に対する施術であって、髪全体をなでとかし、つぎに頭部全体を揉捏する活性施術と、髪の生え際左右部分を指圧し、つぎに生え際から頭頂部までを指圧する調整施術と、耳を圧迫する維持施術とで構成される施術。
（ｅ）腹部・胸部に対する施術であって、腹部から胸部にかけて軽擦し、つぎにへその周囲を右回りに強擦する活性施術と、腹部を指圧する調整施術と、腹部全体を圧迫する維持施術とで構成される施術。
（ｆ）手に対する施術であって、手のひらを強擦する活性施術と、手の甲と手のひらを指圧する調整施術と、両手全体を圧迫しながら指先の方向へ抜く維持施術とで構成される施術。
（ｇ）下肢前面に対する施術であって、下肢前面全体を軽擦し、つぎにくるぶしからひざにかけて強擦後、大腿部を揉捏する活性施術と、脚を指圧し、ひざ下まで圧迫した後、大腿部を軽擦する調整施術と、足裏を圧迫する維持施術とで構成される施術。
【請求項３】
請求項１または２記載の美容施術方法に用いられる美容施術情報ツールであって、美容施術を行う部位を示す項目が、縦横の一方に並び、軽擦動作、強擦動作および揉捏動作の少なくとも一つを主動作とする活性施術を説明する表示部と、指圧動作を主動作とする調整施術を説明する表示部と、圧迫動作を主動作とする維持施術を説明する表示部とが、上記各部位を示す項目ごとに、縦横の他方に並んで形成された一覧表が表示されており、各表示部ごとに、軽擦動作、強擦動作および揉捏動作の少なくとも一つの動作における手の動きが矢印で示され、指圧動作における指圧位置が点で示され、圧迫動作における圧迫部分が丸囲いで示されたイラストが設けられていることを特徴とする美容施術情報ツール。
【発明の詳細な説明】
【技術分野】
【０００１】
本発明は、エステティック施術者等が顧客に対して行う美容施術方法およびそれに用いる美容施術情報ツールに関するものである。
【背景技術】
【０００２】
従来から、エステティックサロンや化粧品販売店のエステティックコーナー等では、美容を目的とする各種の美容施術が行われているが、施術の流れは、一般に、前半が、血行促進、代謝促進等を目的として皮膚に刺激を与える施術で構成され、後半が、鎮静、リラックス効果のある施術で構成されている。そして、各施術の動作（手技）については、軽擦法、揉捏法、強擦法、圧迫法、叩打法、振せん法、運動法等のさまざまな種類があり、これらの動作の組み合わせや順序は、施術者個人やその流派の経験則にもとづいて構成されているため、統一的な流れがなく、その組み立てパターンは、店舗ごと、施術者ごとにまちまちであることが多い。
【０００３】
なお、美容施術の一連の施術動作に対し、ある程度客観性をもたせた美容施術方法が、いくつか提案されている（特許文献１、２参照）。
【特許文献１】特開２０００−３１２７０４号公報
【特許文献２】特開２００３−３３９４３９号公報
【発明の開示】
【発明が解決しようとする課題】
【０００４】
しかしながら、これらの美容施術方法においても、各施術動作を互いに関連づけることは難しく、したがって、顧客にとって各施術動作の作用効果を把握しにくいだけでなく、施術者にとっても、これを習得するのに多大な負担を要しているのが実情である。
【０００５】
本発明は、このような事情に鑑みなされたもので、各部位に対する施術動作が、統一的な考え方にもとづいて、全て規則的に構成されており、顧客にとって理解しやすく、施術者にとっても習得しやすい構成となっている美容施術方法およびそれに用いる美容施術情報ツールの提供をその目的とする。
【課題を解決するための手段】
【０００６】
上記の目的を達成するため、本発明は、被施術者の全身のうち、少なくとも一つの部位に対し美容施術を行う方法であって、各部位に対し、軽擦動作、強擦動作および揉捏動作の少なくとも一つを主動作とする活性施術と、指圧動作を主動作とする調整施術と、圧迫動作を主動作とする維持施術を、一連の施術としてこの順で行う美容施術方法を第１の要旨とする。
【０００７】
また、本発明は、そのなかでも、特に、美容施術を行う部位が、背中、下肢背面、顔面・胸元、頭部、腹部・胸部、手、下肢前面からなる群から選択される少なくとも一つの部位であり、各部位に対する施術が、下記の（ａ）〜（ｇ）に示すように構成されている美容施術方法を第２の要旨とする。
（ａ）背中に対する施術であって、背中全体を軽擦し、つぎに肩甲骨周辺を揉捏する活性施術と、脊椎両脇を指圧する調整施術と、背中全体を圧迫する維持施術とで構成されている施術。
（ｂ）下肢背面に対する施術であって、下肢背面全体を軽擦し、つぎに片脚ずつ、脚全体を揉捏する活性施術と、足裏を指圧し、ふくらはぎを圧迫したのち大腿部を軽擦する調整施術と、脚全体を軽擦したのち足裏を圧迫する維持施術とで構成される施術。
（ｃ）顔面・胸元に対する施術であって、額全体を軽擦し、つぎに胸元を軽擦後、僧帽筋を強擦する活性施術と、頬骨の下を指圧し、つぎに肩を指圧する調整施術と、胸元を圧迫し、つぎに鎖骨を挟み圧迫する維持施術とで構成される施術。
（ｄ）頭部に対する施術であって、髪全体をなでとかし、つぎに頭部全体を揉捏する活性施術と、髪の生え際左右部分を指圧し、つぎに生え際から頭頂部までを指圧する調整施術と、耳を圧迫する維持施術とで構成される施術。
（ｅ）腹部・胸部に対する施術であって、腹部から胸部にかけて軽擦し、つぎにへその周囲を右回りに強擦する活性施術と、腹部を指圧する調整施術と、腹部全体を圧迫する維持施術とで構成される施術。
（ｆ）手に対する施術であって、手のひらを強擦する活性施術と、手の甲と手のひらを指圧する調整施術と、両手全体を圧迫しながら指先の方向へ抜く維持施術とで構成される施術。
（ｇ）下肢前面に対する施術であって、下肢前面全体を軽擦し、つぎにくるぶしからひざにかけて強擦後、大腿部を揉捏する活性施術と、脚を指圧し、ひざ下まで圧迫した後、大腿部を軽擦する調整施術と、足裏を圧迫する維持施術とで構成される施術。
【０００８】
さらに、本発明は、上記第１の要旨または第２の要旨である美容施術方法に用いられる美容施術情報ツールであって、美容施術を行う部位を示す項目が、縦横の一方に並び、軽擦動作、強擦動作および揉捏動作の少なくとも一つを主動作とする活性施術を説明する表示部と、指圧動作を主動作とする調整施術を説明する表示部と、圧迫動作を主動作とする維持施術を説明する表示部とが、上記各部位を示す項目ごとに、縦横の他方に並んで形成された一覧表が表示されており、各表示部ごとに、軽擦動作、強擦動作および揉捏動作の少なくとも一つの動作における手の動きが矢印で示され、指圧動作における指圧位置が点で示され、圧迫動作における圧迫部分が丸囲いで示されたイラストが設けられている美容施術情報ツールを第３の要旨とする。
【発明の効果】
【０００９】
すなわち、本発明の美容施術方法は、従来、美容施術を構成する各施術動作が、互いに関連づけることが難しいものであったところ、各部位に対する施術動作を、統一的な考え方にもとづき規則的に構成したため、顧客にとって理解しやすいものとなり、また施術者にとっても習得しやすいものとなっている。しかも、各部位に対し、必ず、肌を活性化させる活性施術と、その活性具合を調整する調整施術と、調整された状態を維持する維持施術とを一連の施術としてこの順で行うようになっているため、優れた美容効果を得ることができる。
【００１０】
そして、本発明の美容施術情報ツールによれば、上記美容施術を実施するための情報が、非常に見やすくまとめられているため、これを用いれば、熟練技術者でなくても、的確な施術を、スムーズに行うことができるという利点を有する。
【発明を実施するための最良の形態】
【００１１】
つぎに、本発明を実施するための最良の形態について説明する。
【００１２】
本発明は、エステティック施術者等が、顧客に対して行う美容施術方法で、例えば図１に示すような、美容施術用の冊子１にまとめられた内容に沿って行われる。以下、この冊子１の内容について説明する。
【００１３】
まず、この冊子１の表紙１ａの中央部には、「マッサージマニュアル」という見出し２が表示されている。そして、この表紙１ａをめくると、この表紙１ａの裏面となる最初の頁３には、図２に示すように、この美容施術の基本的な考え方が、図式的に示されている。すなわち、この説明図４は、縦軸に「生体の活性レベル」、横軸に「時間的段階的推移」をとったもので、時間軸に沿って、３つの部分に分割されており、各部分の上部に、「活性  マッサージ」、「調整  指圧」、「維持  圧迫」の見出し５〜７が表示されている。そして、上記３種類の施術をこの順で行った場合に、生体の活性レベルがどのように変化するかが、「ホールボディ」、「顔面」、「背中」、「腹部」、「脚部」の５種類の部位別に、線グラフで示されている。
【００１４】
したがって、上記説明図４によれば、この美容施術は、最初に「活性  マッサージ」を行うことにより、生体活性レベルをぐんと高め、つぎに、「調整  指圧」を行うことにより、高まった生体活性レベルを、最適なバランス状態となるよう調整し、つぎに、「維持  圧迫」を行うことにより、これを安定的に持続させるようにするものであることがわかる。
【００１５】
そして、つぎの頁から４頁にわたって、具体的な施術動作が、対象とする部位ごとに、イラストとともに説明されている。すなわち、その第１頁８には、図３に示すように、その上部に、「マッサージ手順１」の見出し９が表示されており、その下に、施術動作を示す表１０が表示されている。この表１０の上下方向には、施術する部位の項目が並び、左右方向には、「活性」と「調整」と「維持」の３項目が並んでいる。
【００１６】
この表１０の第１段１１は、背中に対する施術動作を示している。この段１１の「活性」の欄には、「全体を軽擦」という説明文１２と、「肩甲骨周辺を揉捏」という説明文１３とが表示されている。そして、各説明文１２、１３の下に設けられたイラスト１４、１５に、それぞれの動作時の手の動きが矢印で示されている。
【００１７】
また、その隣の「調整」の欄には、「脊椎両脇を指圧」という説明文１６が表示されており、その下のイラスト１７に、指圧する位置が点で示されている。そして、その隣の「維持」の欄には、「全体を圧迫」という説明文１８が表示されており、その下のイラスト１９に、圧迫する部分が丸囲いで示されている。
【００１８】
つぎに、その下の段２０は、下肢背面に対する施術動作を示している。この段２０の「活性」の欄には、「下肢全体を軽擦」という説明文２１と、「片脚ずつ全体を揉捏」という説明文２２とが表示されている。そして、各説明文２１、２２の下に設けられた下肢のイラスト２３、２４に、それぞれ手の動きを示す矢印が示されている。
【００１９】
また、その隣の「調整」の欄には、「足裏のツボを指圧し、ふくらはぎを圧迫、大腿部を軽擦」という説明文２５が表示されており、その下のイラスト２６に、圧迫する部分が丸囲いで示されているとともに、軽擦時の手の動きが矢印で示されている。また、足裏のツボの位置が点で示されている。そして、その隣の「維持」の欄には、「脚全体を軽擦し足裏に圧をかける」という説明文２７が表示されており、その下のイラスト２８に、軽擦時の手の動きが矢印で示されているとともに、圧をかける部分が丸囲いされている。
【００２０】
そして、つぎの頁３０には、図４に示すように、その上部に、「マッサージ手順２」の見出し３１が表示されており、その下に、上記表１０と同様に構成された表３２が設けられている。
【００２１】
この表３２の第１段３３は、顔面から胸元に対する施術動作を示している。この段３３の「活性」の欄には、「額全体を軽擦」という説明文３４と、「胸元を軽擦後、僧帽筋を強擦」という説明文３５が表示されており、各説明文３４、３５の下のイラスト３６、３７に、それぞれの動作時の手指の動きが矢印で示されている。
【００２２】
また、その隣の「調整」の欄には、「頬骨の下を指圧」という説明文３８と、「母指で肩のツボを指圧」という説明文３９が表示されており、各説明文３８、３９の下のイラスト４０、４１に、それぞれの動作時に指圧する位置が点で示されている。そして、その隣の「維持」の欄には、「胸元を軽く圧迫」という説明文４２と、「二指で鎖骨を挟み軽く圧迫」という説明文４３が表示されており、各説明文４２、４３の下のイラスト４４、４５に、それぞれの動作時に圧迫する部分が丸囲いで示されている。
【００２３】
つぎに、その下の段５０は、頭部に対する施術動作を示している。この段５０の「活性」の欄には、「全指の腹で髪全体をなでとかす」という説明文５１と、「頭部全体を揉捏」という説明文５２とが表示されている。そして、各説明文５１、５２の下のイラスト５３、５４に、それぞれの動作時の手の動きが矢印で示されている。
【００２４】
また、その隣の「調整」の欄には、「髪の生え際左右４点を指圧」という説明文５６と、「生え際から頭頂部のツボまで指圧」という説明文５７とが表示されている。そして、各説明文５６、５７の下のイラスト５８、５９に、それぞれの動作時に指圧する位置が点で示されている。そして、その隣の「維持」の欄には、「耳に手根を置き、圧迫」という説明文６０が表示されており、その下のイラスト６１に、圧迫を行う部分が丸囲いで示されている。
【００２５】
そして、つぎの頁６２には、図５に示すように、その上部に、「マッサージ手順３」の見出し６３が表示されており、その下に、上記表１０、３２と同様に構成された表６４が設けられている。
【００２６】
この表６４の第１段６５は、腹部・胸部に対する施術動作を示している。この段６５の「活性」の欄には、「腹部から胸部にかけて軽擦」という説明文６６と、「へその周囲を右回りに強擦」という説明文６７とが表示されている。そして、各説明文６６、６７の下のイラスト６８、６９に、それぞれの動作時の手の動きが矢印で示されている。
【００２７】
また、その隣の「調整」の欄には、「腹部５点のツボを指圧」という説明文７０が表示されており、その下のイラスト７１に、指圧の位置が点で示されている。そして、その隣の「維持」の欄には、「腹部全体を圧迫」という説明文７２が表示されており、その下のイラスト７３に、圧迫を行う部分が丸囲いで示されている。
【００２８】
つぎに、その下の段８０は、手に対する施術動作を示している。この段８０の「活性」の欄には、「手のひらを強擦」という説明文８１が表示されており、その下のイラスト８２に、手の動作が矢印で示されている。
【００２９】
また、その隣の「調整」の欄には、「手の甲のツボと手のひらのツボを指圧」という説明文８３が表示されており、その下のイラスト８４に、指圧の位置が点で示されている。そして、その隣の「維持」の欄には、「両手全体に圧をかけながら指先の方向へ抜く」という説明文８５が表示されており、その下のイラスト８６に、手の動作が太矢印で示されているとともに、圧をかける部分が丸囲いで示されている。
【００３０】
そして、つぎの頁９０には、図６に示すように、その上部に、「マッサージ手順４」の見出し９１が表示されており、その下に、上記表１０、３２、６４と同様に構成された表９２が設けられている。
【００３１】
この表９２の第１段９３は、下肢前面に対する施術動作を示している。この段９３の「活性」の欄には、「下肢全体を軽擦」という説明文９４と、「くるぶしからひざにかけて強擦し、大腿部を揉捏」という説明文９５とが表示されている。そして、各説明文９４、９５の下のイラスト９６、９７に、それぞれの動作時の手の動きが矢印で示されている。
【００３２】
また、その隣の「調整」の欄には、「脚のツボ３点を指圧し、ひざ下まで圧迫、大腿部を軽擦」という説明文９８が表示されており、その下のイラスト９９に、指圧の位置が点で示されているとともに、軽擦時の手の動きが矢印で示されている。また、圧迫する部分が丸囲いで示されている。そして、その隣の「維持」の欄には、「手のひらを足裏に１５秒間当てる」という説明文１００が表示されており、その下のイラスト１０１に、圧迫を行う部分が丸囲いで示されている。
【００３３】
このように構成された冊子１の内容に従い、エステティック施術者等は、被施術者の各部位に対し、活性施術と、調整施術と、維持施術の３つの施術をこの順で行うことができる。この美容施術によれば、各部位ごとに、上記活性施術により肌が活性化され、上記調整施術によりその活性状態が適度に調整され、さらに、上記維持施術によりその適度の活性状態が維持されるようになる。したがって、従来では得られない、優れた美容効果を得ることができる。
【００３４】
そして、各部位に対する施術動作が、上記のように、常に３種類の施術を組み合わせた規則的なものであるため、被施術者にとっては、その構成および効果を理解しやすく、施術者にとっては、その技術を習得しやすいという利点を有する。
【００３５】
また、用いる冊子１は、施術動作を説明する表１０、３２、６４、９２が、縦方向に、「背中」、「下肢背面」といった部位の項目を並べ、各部位の項目における横方向に、「活性」、「調整」、「維持」の３種類の施術動作を並べた構成になっているため、手順がわかりやすいという利点を有する。しかも、各動作の説明のために、イラスト１４、１５…が設けられており、そこに、軽擦動作、強擦動作、揉捏動作の手の動きが矢印で示され、指圧動作における指圧位置が点で示され、圧迫動作における圧迫部分が丸囲いで示されているため、各動作を一目で把握することができ、使い勝手がよい。
【００３６】
なお、上記の例では、施術の対象とする部位が、背中、下肢背面、顔面・胸元、頭部、腹部・胸部、手、下肢前面の７つの部位であるが、部位の位置、数は、これに限定するものではなく、少なくとも一つの部位を適宜に設定することができる。ただし、いずれの部位についても、活性施術と、調整施術と、維持施術の３つの施術をこの順で行うように設定することが重要である。
【００３７】
活性施術と調整施術と維持施術の各施術内容は、上記の例に限らず、手の動きやバリエーション、指圧の位置等を適宜に設定することができるが、美容効果上、上記活性施術は、軽擦動作、強擦動作および揉捏動作の少なくとも一つを主動作とするものでなければならず、上記調整施術は、指圧動作を主動作とするものでなければならず、維持施術は、圧迫動作を主動作とするものでなければならない。もちろん、上記各主動作とともに、従来から行われている各種の動作を副動作として組み合わせても差し支えない。
【００３８】
なお、本発明において、「軽擦」とは、手のひらや手先で皮膚表面を、押圧することなくなでる動作をいい、「強擦」とは、手のひらや手先で皮膚表面を、押圧しながら強くなでる動作をいう。また、「揉捏」とは、手先もしくは指を使って皮膚を押し込んだりつまみあげたり、その状態でひねったりする動作をいう。さらに、「指圧」とは、指先や手の甲、肘等を用いて一点に集中して圧を加える動作をいい、複数の指等を用いて複数の点に対し同時に圧を加える動作も含む。そして、「圧迫」とは、手のひらや手先で皮膚表面の一定の領域に圧を加える動作をいう。
【００３９】
また、上記の例では、施術動作をまとめた美容施術情報ツールとして、冊子１を用いたが、その形態は、冊子１に限らず、シート、紙等、どのような形態の印刷物であってもよい。また、必ずしもこのような印刷物を用いる必要はなく、ＴＶモニターや、ＣＲＴ，液晶モニター等の画面に表示できる電子情報としてまとめられたものであってもよい。
【００４０】
そして、上記美容施術情報ツールに表示する一覧表の構成は、上記の例の冊子１のように、部位の項目を縦方向にとり、施術の種類を横方向にとるのではなく、縦横を逆にしたものであっても差し支えない。また、図２に示すような、この美容施術の考え方を示す表示部を設けることは、必ずしも必要ではなく、任意である。
【図面の簡単な説明】
【００４１】
【図１】本発明の一実施例に用いる冊子の説明図である。
【図２】上記冊子の部分的な説明図である。
【図３】上記冊子の部分的な説明図である。
【図４】上記冊子の部分的な説明図である。
【図５】上記冊子の部分的な説明図である。
【図６】上記冊子の部分的な説明図である。
【符号の説明】
【００４２】
１０  表
【図１】
2005323684.tif 000003
【図２】
2005323684.tif 000004
【図３】
2005323684.tif 000005
【図４】
2005323684.tif 000006
【図５】
2005323684.tif 000007
【図６】
2005323684.tif 000008